(57)【要約】【課題】  がれき類、砕石等から軽量物を効率的に分別可能な風力選別装置を提供する。【解決手段】  コンベアベルト２の進行方向に直交する方向に空気を送風する送風ノズル８を設け、送風に対向する側に投入口２２を形成し、コンベアベルトの裏面側に振動付与ローラ１８を設置し、振動付与ローラを回転させることでコンベアベルトを上下方向に往復振動させ、上記送風により搬送物中の軽量物を投入口２２側に吹き飛ばし、投入口に連通してシュート２３を設け、シュートの落下経路途中に分岐部２５を設け、第２シュート部２７上端部に仕切網４１を設け、落下してくる軽量物の内、仕切網を通過できない第１軽量物を第１シュート部２６に誘導し、仕切網４１を通過する第２軽量物を第２シュート部に落下させ、第１シュート部と第２シュート部の各下端部に第１及び第２軽量物収集箱２８，２９を接続した。【選択図】  図２
2015136681.tif 000002
【特許請求の範囲】
【請求項１】
コンベアベルト上面側において上記コンベアベルトの進行方向に直交する方向に空気を送風する送風ノズルを設け、
上記送風の方向に対向する上記コンベアベルトの反対側に軽量物の投入口を形成し、上記コンベアベルトの裏面側に、その回転中心軸が上記送風方向に平行な振動付与ローラを設置し、当該振動付与ローラを回転させることで上記送風ノズルの送風エリアの上記コンベアベルトを上下方向に往復振動させるように構成し、
上記投入口に連通して下方に延びるシュートを設け、当該シュートの落下経路途中に第１シュート部と第２シュート部に分岐する分岐部を設け、
上記第２シュート部上端部に仕切網を設け、落下してくる軽量物の内、上記仕切網を通過できない第１軽量物を上記第１シュート部に誘導し、上記仕切網を通過し得る第２軽量物を上記第２シュート部に落下させるように構成し、
上記第１シュート部と上記第２シュート部の各下端部に各々第１及び第２軽量物収集箱を接続したものである風力選別装置。
【請求項２】
上記振動付与ローラは、上記送風エリアにおける上記コンベアベルトを振動させるべく、上記コンベアベルト裏面側に単一に設けられたものであることを特徴とする請求項１記載の風力選別装置。
【請求項３】
上記シュートの側面に上記仕切網の方向に空気を送風し得る第２の送風ノズルを設け、
落下してきた上記第２軽量物を上記第２の送風ノズルからの送風により、上記仕切網の方向に吹き飛ばすことにより上記仕切網を通過させて上記第２シュート部内に誘導し得るように構成したものであることを特徴とする請求項１又は２記載の風力選別装置。
【請求項４】
上記シュートの側面にシュート内部方向であって上記仕切網の方向に延びる誘導板を設け、上記誘導板の先端部と上記仕切網との間に空間を形成し、
落下してきた上記第２軽量物を上記誘導板に当接させて上記仕切網の方向に反射させることにより当該第２軽量物を上記第２シュート部内に誘導し得るように構成し、
上記第１軽量物は上記空間を介して上記第１シュート部方向に落下し得るよう構成したものであることを特徴とする請求項１〜３の何れかに記載の風力選別装置。
【請求項５】
上記コンベアベルトは水平ローラと両側の傾斜ローラからなるキャリアローラ上を走行するトラフ型のベルトであり、
上記コンベアベルトの上記送風エリアを挟む上流側と下流側の各キャリアローラの内、少なくとも上記投入口側の傾斜ローラを各々取り外すことにより、上記送風エリアにおいては、上記コンベアベルトは上記投入口に向かう水平面を形成しているものであることを特徴とする請求項１〜４の何れかに記載の風力選別装置。
【請求項６】
上記コンベアベルトの上記送風エリアの上面に上記送風エリアを覆う遮蔽函部を設け、上記遮蔽函部の上流側入口と下流側出口に各々弾性部材からなる飛散防止板を設けたものであることを特徴とする請求項１〜５の何れかに記載の風力選別装置。
【請求項７】
上記シュートにおいて、上記軽量物の落下方向に対して、上記誘導板を上流側、上記第２の送風ノズルを下流側に設けたものであることを特徴とする請求項３又は４に記載の風力選別装置。
【請求項８】
上記送風ノズルに送風する送風機、上記送風ノズル、上記振動付与ローラ、上記投入口と上記第１及び第２シュート部を有する上記シュートは、上記コンベアベルトを支持する既存の機枠に固定し得るように構成したものであることを特徴とする請求項１〜７の何れかに記載の風力選別装置。
【発明の詳細な説明】
【技術分野】
【０００１】
本発明は、建設廃材のリサイクル工場等で使用されるものであり、コンベア上を搬送されるがれき類、砕石中に含まれる軽量異物を選別するための風力選別装置に関するものである。
【背景技術】
【０００２】
従来、がれき類、砕石等をコンベアにて搬送中に、これらのがれき類等に含まれる軽量異物を選別するため、コンベアベルトの裏面に加振ローラを設けて、当該ローラを回転させることでコンベアベルトを上下に振動させ、それによって表面に現れた軽量異物、粉塵等を、コンベアベルト上に設けた吸引ダクトにより吸引する装置が提案されている（特許文献１，２）。
【０００３】
また、ハードプラスチック類等の非浮遊物とプラスチックフィルム類等の浮遊物を分別するため、コンベアの側面に噴射ノズルを設け、コンベアに向けて空気を噴射することで、コンベア上の浮遊物をコンベアの対向側面側で回収する装置が提案されている（特許文献３）。
【先行技術文献】
【特許文献】
【０００４】
【特許文献１】特開昭５４−１９２６１号公報
【特許文献２】特開２００２−１９２０８０号公報
【特許文献３】特開２００８−１９４６２４号公報
【発明の概要】
【発明が解決しようとする課題】
【０００５】
ところで、特許文献１，２の装置は、振動コンベアベルトの上面側を広い面積に亘って吸引フードで覆い、当該吸引フードを介してコンベアベルト上に浮遊した軽量異物を吸引するものであるため、軽量異物を効率的に吸引し得ないという課題がある。
【０００６】
また、吸引した異物にはプラスチックフィルム類、紙類等の軽量物の他、粉塵、砂等の微小な粒状物が含まれるが、これらのフィルム類と微小な粒状物を分別する構成は開示されていない。
【０００７】
特許文献３の装置は、ハードプラスチックとプラスチックフィルムという何れも比較的軽量な物を分別するために適した構造であるし、仮に、上記フィルムと共に微小な粒状物が回収された場合であっても、上記フィルムと上記粒状物とを分別することができないとの課題がある。
【０００８】
また、上記従来の装置は、移送面が平面状のコンベアベルトを用いた装置であるが、例えばコンクリート破砕物等の重量の大きな破砕物を移送する場合に使用されるＵ型（トラフ型）のコンベアベルトを使用したコンベア装置には、何れの従来装置も適用し難いという課題がある。
【０００９】
本発明は上記従来装置の課題に鑑みてなされたものであり、がれき類及び砕石等のような比較的重量の大きい破砕物を搬送するコンベア装置に適用可能であって、がれき類、砕石等の混合廃材中の破砕物等とプラスチック、木片等の軽量異物を効率的に分別可能な風力選別装置を提供することを目的とする。
【００１０】
また、本発明は、軽量物として分別された異物としてのプラスチック、木片等と、製品となり得るコンクリート粉等の粒状物とをさらに分別収集可能な風力選別装置を提供することを目的とする。
【００１１】
また、本発明は、比較的重量の大きい破砕物等を搬送可能なＵ型（トラフ型）のコンベア装置であっても適用が可能な風力選別装置を提供することを目的とする。
【００１２】
また、本発明は、既存のコンベア装置に、容易に適用可能な風力選別装置を提供することを目的とする。
【課題を解決するための手段】
【００１３】
上記の目的を達成するため本発明は、
第１に、コンベアベルト上面側において上記コンベアベルトの進行方向に直交する方向に空気を送風する送風ノズルを設け、上記送風の方向に対向する上記コンベアベルトの反対側に軽量物の投入口を形成し、上記コンベアベルトの裏面側に、その回転中心軸が上記送風方向に平行な振動付与ローラを設置し、当該振動付与ローラを回転させることで上記送風ノズルの送風エリアの上記コンベアベルトを上下方向に往復振動させるように構成し、上記投入口に連通して下方に延びるシュートを設け、当該シュートの落下経路途中に第１シュート部と第２シュート部に分岐する分岐部を設け、上記第２シュート部上端部に仕切網を設け、落下してくる軽量物の内、上記仕切網を通過できない第１軽量物を上記第１シュート部に誘導し、上記仕切網を通過し得る第２軽量物を上記第２シュート部に落下させるように構成し、上記第１シュート部と上記第２シュート部の各下端部に各々第１及び第２軽量物収集箱を接続したものである風力選別装置により構成される。
【００１４】
上記仕切網は、上記第１シュート部の方向に傾斜して設けることが好ましい。上記送風エリアとは、送風ノズルから送風されるコンベア上のエリアをいい、例えば送風ノズル（８）からの送風エリア（Ｔ）をいう。上記第１軽量物は例えばプラスチック、木片等の仕切網を通過できない比較的大きい軽量物をいう。上記第２軽量物は例えば破砕されたコンクリート破砕物中に含まれるコンクリート粉等のような仕切網を通過し得る粒状物をいう。このように構成すると、例えばコンクリート塊等の重量物とプラスチック、粒状物等の軽量物を含むがれき類、砕石等をコンベアベルトにて搬送し、送風エリアに至ると、コンベアベルトの上下往復振動により、がれき類、砕石等がコンベアベルト上方に浮き上がり、重量物と軽量物が空中で分離するため、当該往復振動位置にて、送風ノズルからコンベアベルト進行方向に直交する方向に送風することで、軽量物のみを投入口に向けて、コンベア進行方向に直交する方向に吹き飛ばすことができる。製品となるコンクリート塊等の重量物（例えば直径４０ｍｍアンダーのコンクリート塊等の重量物）はそのままコンベアベルトにより上流側に搬送される。投入口に投入された軽量物は分岐部において、仕切網を通過し得ない軽量物（プラスチック、木片等）は第１シュート部に誘導され、仕切網を通過し得る軽量物（コンクリート粉等の粒状物）は第２シュート部に落下して行き、最終的に異物としてのプラスチック、木片等の軽量物は第１軽量物収集箱に収集され、製品になり得るコンクリート粉等の粒状物（例えば直径５ｍｍ程度以下のコンクリート粉等）は第２軽量物収集箱に収集することができる。このように、がれき類、砕石等から軽量物を選択的に除去することができ、さらに軽量物を異物（ゴミ）としての例えばプラスチック、木片等の比較的大きい軽量異物と、最終的に製品としてコンクリート塊の収集場所に戻されるコンクリート粉等の粒状の軽量物に分別収集することができる。
【００１５】
第２に、上記振動付与ローラは、上記送風エリアにおける上記コンベアベルトを振動させるべく、上記コンベアベルト裏面側に単一に設けられたものであることを特徴とする上記第１記載の風力選別装置により構成される。
【００１６】
このように構成すると、単一の振動付与ローラによって送風エリアのコンベアベルトを上下振動させることができるため、簡潔な構成により効果的な風力選別装置を実現し得る。
【００１７】
第３に、上記シュートの側面に上記仕切網の方向に空気を送風し得る第２の送風ノズルを設け、落下してきた上記第２軽量物を上記第２の送風ノズルからの送風により、上記仕切網の方向に吹き飛ばすことにより上記仕切網を通過させて上記第２シュート部内に誘導し得るように構成したものであることを特徴とする上記第１又は２記載の風力選別装置により構成される。
【００１８】
このように構成すると、シュートを落下してきた軽量物の内、本来第２シュート部に移行すべきコンクリート粉等の粒状物が第１シュート部の方向に落下してきた場合、この粒状物を第２の送風ノズルからの送風により、仕切網の方向に吹き飛ばすことができ、当該粒状物を第２シュート部の方向に誘導することができる。これにより、より正確な分別を行うことができる。従って、異物としての比較的大きい軽量物（第１軽量物）と、製品に戻されるコンクリート粉等の粒状の軽量物（第２軽量物）との分別をより正確に行うことができる。
【００１９】
第４に、上記シュートの側面にシュート内部方向であって上記仕切網の方向に延びる誘導板を設け、上記誘導板の先端部と上記仕切網との間に空間を形成し、落下してきた上記第２軽量物を上記誘導板に当接させて上記仕切網の方向に反射させることにより当該第２軽量物を上記第２シュート部内に誘導し得るように構成し、上記第１軽量物は上記空間を介して上記第１シュート部方向に落下し得るよう構成したものであることを特徴とする上記第１〜３の何れかに記載の風力選別装置により構成される。
【００２０】
このように構成すると、シュートを落下してきた軽量物の内、本来第２シュート部に移行すべきコンクリート粉等の粒状物等が第１シュート部の方向に落下してきた場合、この粒状物を誘導板に当接させて仕切網の方向に反射させることができ、しかも仕切網を通過し得ない第１軽量物は空間を通過して第１のシュート部の方向に落下し得るため、より正確な分別を行うことができる。
【００２１】
第５に、上記コンベアベルトは水平ローラと両側の傾斜ローラからなるキャリアローラ上を走行するトラフ型のベルトであり、上記コンベアベルトの上記送風エリアを挟む上流側と下流側の各キャリアローラの内、少なくとも上記投入口側の傾斜ローラを各々取り外すことにより、上記送風エリアにおいては、上記コンベアベルトは上記投入口に向かう水平面を形成しているものであることを特徴とする上記第１〜４の何れかに記載の風力選別装置により構成される。
【００２２】
尚、上記キャリアローラの内、傾斜ローラと共に水平ローラを取り外しても良い。このように構成すると、送風ノズルからの送風方向に沿う上記投入口側のコンベアベルトが水平面を構成しているので、送風ノズルからの送風により、軽量物を円滑に投入口の方向に吹き飛ばすことができる。
【００２３】
第６に、上記コンベアベルトの上記送風エリアの上面に上記送風エリアを覆う遮蔽函部を設け、上記遮蔽函部の上流側入口と下流側出口に各々弾性部材からなる飛散防止板を設けたものであることを特徴とする上記第１〜５の何れかに記載の風力選別装置により構成される。
【００２４】
このように構成すると、軽量物の吹き飛ばしに伴う粉塵等が遮蔽函部の外側に飛散することを効果的に防止することができる。
【００２５】
第７に、上記シュートにおいて、上記軽量物の落下方向に対して、上記誘導板を上流側、上記第２の送風ノズルを下流側に設けたものであることを特徴とする上記第３又は４に記載の風力選別装置により構成される。
【００２６】
このように構成すると、誘導板に当接する砂等の粒状物を仕切網の方向に反射誘導し得るし、空間を通過してきた粒状物をさらに第２送風ノズルからの送風により仕切網の方向に吹き飛ばすことができ、これにより比較的大きい軽量物とコンクリート粉等の粒状の軽量物との分別をより正確に行うことができる。
【００２７】
第８に、上記送風ノズルに送風する送風機、上記送風ノズル、上記振動付与ローラ、上記投入口と上記第１及び第２シュート部を有する上記シュートは、上記コンベアベルトを支持する既存の機枠に固定し得るように構成したものであることを特徴とする上記第１〜７の何れかに記載の風力選別装置により構成される。
【００２８】
このように構成すると、例えば建築廃材等のリサイクル工場において、がれき類、砕石等を搬送する既存のコンベア装置に、大幅な改造を加えることなく本発明に係る風力選別装置を取り付けることができる。
【発明の効果】
【００２９】
本発明は上述のように、がれき類、砕石等の混合廃材を搬送中に所定エリアにおいて重量物と軽量物とをコンベアベルト上で浮かせてがれき類、砕石等の分離した状態で、コンベアベルト進行方向に直交する方向に送風することで、軽量物のみを投入口に向けて効率的に吹き飛ばして分別することができる。また投入口に投入された軽量物を、分岐部において、さらに異物としての例えばプラスチック、木片等の比較的大きい軽量物（軽量異物）と、製品になり得るコンクリート粉等の粒状物に効率的に分別し収集することができる。
【００３０】
また単一の振動付与ローラによって送風エリアのコンベアベルトを上下振動させることができ、送風エリアにおいて、コンベアベルト進行方向に直交する方向に軽量物を吹き飛ばし得るため、簡潔な構成により効果的な風力選別装置を実現し得る。
【００３１】
また、シュートに第２の送風ノズルを設け、当該ノズルからの送風により軽量物を仕切網の方向に吹き飛ばすことにより、製品にならない軽量物（異物）と、製品に戻すことが可能なコンクリート粉等の粒状物をより正確に分別することができ、リサイクル能力の高い風力選別装置を実現することができる。
【００３２】
また、本来第２のシュート部に移行すべき粒状物を誘導板にて当接させて仕切網の方向に反射させることができるため、軽量物のより正確な分別を行うことができる。
【００３３】
また、例えば既存のトラフ型のコンベアベルトを用いたコンベア装置においても支障なく適用することができる。
【００３４】
また、軽量物の吹き飛ばしに伴う粉塵等が遮蔽函部の外側に飛散することを効果的に防止することができる。
【００３５】
また、例えばリサイクル工場において、がれき類、砕石等を搬送する既存のコンベア装置に本発明に係る風力選別装置を取り付けることができ、極めて汎用性の高い風力選別装置を提供することができる。
【図面の簡単な説明】
【００３６】
【図１】本発明に係る風力選別装置の側面図である。
【図２】図１のＸ方向から見た同上選別装置の概略正面図である。
【図３】図１のＹ方向から見た同上選別装置の概略背面図である。
【図４】同上選別装置の概略平面図である。
【図５】図２の送風ノズル近傍を各大した拡大正面図である。
【図６】（ａ）は同上選別装置の設置エリア近傍のコンベアベルトの側面図、（ｂ）は同上設置エリア近傍のコンベアベルトの斜視図である。
【図７】（ａ）は同上選別装置が適用されるコンベアベルトの正面図、（ｂ）は同上選別装置の設置エリア近傍のコンベアベルトの正面図である。
【図８】（ａ）は同上選別装置の振動付与ローラの正面図、（ｂ）は同上ローラの側面図である。
【図９】同上選別装置のシュートの分岐部の拡大正面図である。
【図１０】（ａ）は同上選別装置に使用する誘導板の正面図、（ｂ）は同上選別装置に使用する仕切網の正面図である。
【図１１】（ａ）（ｂ）は共に同上選別装置の送風ノズルの斜視図である。
【図１２】（ａ）（ｂ）は共に同上選別装置の第２の送風ノズルの斜視図である。
【図１３】同上選別装置のシュートの斜視図である。
【発明を実施するための形態】
【００３７】
以下、本発明に係る風力選別装置を詳細に説明する。
図１は、同上装置の側面図を示すものであり、同図において、１はコンベア装置であり、図面中左側（低位置の下流側）から右側（高位置の上流側、矢印Ａ方向）に上り傾斜状体で走行するキャリア側の無端コンベアベルト２と、逆方向（矢印Ｂ方向）に走行するリタン側の無端コンベアベルト２を具備するものである。このコンベアベルト２は、同図中下流側の端部に設けられた駆動プーリ（図示せず）と、同図中上流側の端部に設けられた従動プーリ（図示せず）に掛け回され、上記矢印Ａ，Ｂ方向に駆動されることにより、被搬送物を低位置から高位置に搬送するものである。尚、図１中上流側から下流側を向いた場合の「左右」を「左方向」、「右方向」とする。また、図２は図１中、位置Ｘから上流側を見た場合の概略正面図、図３は図１中、位置Ｙから下流側を見た場合の概略背面図である。
【００３８】
３は上記コンベアベルト２の複数のキャリアローラ４及びリタンローラ５（図２、図３参照）を支持するための機枠である。この機枠３は、コンベアの進行方向に沿う上杆３ａと下杆３ｂとこれら上下杆３ａ，３ｂを上下に連結する連結杆３ｃにより構成された梯子型機枠を左右に一定間隔を以って上り傾斜に設置し、左右の梯子型機枠を左右方向に複数の水平連結杆３ｄにより接続することにより構成されている（図３参照）。尚、上下杆３ａ，３ｂ間、連結杆３ｃ、水平連結杆３ｄ間に斜めに接続されたものは補強杆３ｅである。
【００３９】
上記キャリアローラ４は、図３、図７に示すように左右の対向方向に傾斜した一対の傾斜ローラ４ａ，４ａ’と中央の水平ローラ４ｂとから構成されており、キャリア側のコンベアベルト２はこれらのローラ４ａ，４ａ’，４ｂ上にＵ字型（トラフ型）に湾曲した状態で進行し、リタン側では水平の上記リタンローラ５により水平な状態で進行するように構成されている（図３参照）。
【００４０】
上記各傾斜ローラ４ａ，４ａ’は、図３、図７に示すように、上記機枠３の上側の水平連結杆３ｄ上に固定された起立アングル３１，３１と、中央の支持アングル７，７に各々回転軸Ｐを傾斜状態で回転自在に支持されており、中央のキャリアローラ４ｂは上記水平連結杆３ｄ上の上記支持アングル７，７間にその回転軸Ｐを水平状態に回転自在に支持されている。
【００４１】
このキャリアローラ４は、コンベアベルト２の進行方向に沿って、所定間隔毎に設けられており、上記コンベアベルト２はこれらのキャリアローラ４ａ，４ａ’，４ｂ上に載置され、両側が対向方向に斜めに起立することによりＵ字状態に湾曲した状態（トラフ型）で進行し得るように構成されている。これにより、建築廃材としてのコンクリート塊等の重量物をコンベアベルト２の両側縁から落とすことなく、同コンベアベルト２の中央部近傍において円滑に搬送し得る。
【００４２】
当該コンベア装置１は、その上流の始端部側においてコンベアベルト２上に供給される原材料には、建設廃材から振動篩を経てインパクトクラッシャー等の破砕機にて一次的又は二次的に破砕された製品としての例えば直径４０ｍｍ以下のコンクリート塊等の重量大の破砕物、及び、建築廃材等に含まれるプラスチック（プラスチックフィルム類等を含む）、木片等（その他紙類等を含む）、コンクリート粉等の粒状物（例えば直径５ｍｍ程度以下〜数ｍｍ程度のコンクリート粒等）、その他の塵等からなる軽量物が含まれた混合廃材（がれき類、砕石等）であり、これらのがれき類、砕石等を矢印Ａ方向に搬送する。そして、当該コンベア装置１の経路途中（図１、図４の設置エリアＥ）において、本発明に係る風力選別装置６が設置されている。
【００４３】
従って、上記コンベアベルト２にて上記破砕物等の混合廃材を搬送中に、上記風力選別装置６において、上記混合廃材から上記プラスチック、木片類、コンクリート粉等の軽量物を選別除去し、当該コンベア装置１の終端部において、軽量物の除去された製品としてのコンクリート塊、砕石（例えば直径４０ｍｍ以下）を次段に移行させるものである。
【００４４】
また選別された軽量物の中には製品としての例えば４０ｍｍ以下の軽量のコンクリート粉（例えば直径５ｍｍ程度以下のコンクリート粒等の粒状物）が含まれているので、選別された軽量物を、さらに、異物（ゴミ）としてのプラスチック、木片等の軽量異物と、製品になり得る例えば直径５ｍｍ程度以下のコンクリート粉（粒状物）に分別し、各別に収集するものである。
【００４５】
次に、本発明に係る風力選別装置６の構成を説明する。
尚、ここで上記コンベア装置１において、本発明における風力選別装置６の位置を特定するために、図４に示すように、キャリアローラ４を風力選別装置６の上流側から下流側に向けて、４−１〜４−５の符号を付してそれらの位置を便宜上特定する。
【００４６】
また、上記コンベア装置１において、キャリアローラ４−３，４−４に囲まれた所定エリア（図１、図４における設置エリアＥ）を当該風力選別装置６を設置するエリアとして特定し、当該設置エリアＥに対して最も近い上流側及び下流側のキャリアローラ４−３，４−４において、各々水平ローラ４ｂ，４ｂと、左側（投入口２２側）の傾斜ローラ４ａ’，４ａ’を起立アングル３１，３１及び支持アングル７，７から除去し、かつ一方の起立アングル３１、及び支持アングル７も除去する（図４、図７（ｂ）参照）。即ち、上記コンベアベルト２の送風エリアＴ（図４参照）を挟む上流側と下流側の各キャリアローラ４−３，４−４の内、少なくとも投入口２２側の傾斜ローラ４ａ’，４ａ’、中央ローラ４ｂ，４ｂを各々取り外す。
【００４７】
ここで、上記キャリアローラ４−３，４−４において、上記傾斜ローラ４ａ’，４ａ’と上記水平ローラ４ｂ，４ｂを除去された後の残った傾斜ローラを、符号４Ａ，４Ａで示す（図１、図４参照）。尚、上記キャリアローラ４−３，４−４において、各上記キャリアローラ４ａ’，４ａ’を除去し、上記水平ローラ４ｂ，４ｂは残しても良い。
【００４８】
このように上記キャリアローラ４−３，４−４の上記傾斜ローラ４ａ’，４ａ’及び水平ローラ４ｂ，４ｂを除去すると、トラフ型のコンベアベルト２において、上記エリアＥにおける進行方向（矢印Ａ方向）に対して右側のベルトは上記傾斜ローラ４Ａ，４Ａにより、右側に斜めに立ち上がった状態の立上面２ａを維持しているが（図６（ａ）（ｂ）参照）、上記エリアＥにおける進行方向（矢印Ａ方向）に対して左側のベルトは、上記キャリアローラ４−３の１つ上流側のキャリアローラ４−２を過ぎたあたりから徐々に水平状態となり、上記キャリアローラ４−３から４−４に至る設置エリアＥの範囲においては、コンベアベルト進行方向に対して上り傾斜の水平面２ａ’を形成する（図６（ａ）（ｂ）参照）。
【００４９】
そして、この水平面２ａ’は上記キャリアローラ４−４を過ぎたあたりから徐々に傾斜状態に立ち上がり、上記キャリアローラ４−５から上流側においては、その傾斜ローラ４ａ’により立上面に復帰し、当該キャリアローラ４−５以後の下流側においてはトラフ型のコンベアベルト２に復帰する。
【００５０】
本発明に係る風力選別装置６は、上記キャリアローラ４−３，４−４間（傾斜ローラ４Ａ，４Ａ間）の上記コンベアベルト２の上記左側に水平面２ａ’が形成されている設置エリアＥに設置される。
【００５１】
上記傾斜ローラ４Ａ，４Ａ間において、上記コンベア装置１の進行方向（矢印Ａ方向）に対して右側の上記機枠３に、上記コンベアベルト２の進行方向に直交する方向に送風ノズル８を固定する。この送風ノズル８は、図１１に示すように、円筒形状の管部８ａと、該管部８ａに接続されたノズル部８ｂとから構成されており、上記ノズル部８ａは、上記管部８ａとの方形の接続部分８ａ’より水平方向（横方向）に拡幅されると共に、上記方形の接続部分８ａ’より上下方向には縮小され、これにより水平方向（横方向）に細長い吹出口８ｂ’が形成されている（上記吹出口８ｂ’の横幅をＴとする）。
【００５２】
そして、図１に示すように、右側の機枠３の長手方向の上杆３ａの下流側と上流側に一対のブラケット９，９を外側に水平に突設し、これらブラケット９，９に支持アングル１０，１０を上記上杆３ａに直交する方向に立設し、これら支持アングル１０，１０間に連結小杆１１を上記上杆３ａに平行に固定し、この連結小杆１１に、Ｕ字状取付アングル１２を以って上記送風ノズル８の管部８ａを固定する。この送風ノズル８は、図１に示すように、その横長の吹出口８ｂ’が、上り傾斜のコンベアベルト２の右縁（立上面２ａ）に沿って平行となるように、コンベア進行方向に平行な上り傾斜状態で固定する。
【００５３】
上記送風ノズル８の吹出口８ｂ’は、図４、図５に示すように、コンベアベルト２の立上面２ａ側から、コンベアベルト２の進行方向に直交する方向に向けられ、当該吹出口８ｂ’からコンベアベルト２の進行方向に直交する方向に空気を吹き出すことができるように構成されている。
【００５４】
この送風ノズル８の取り付け位置、取り付け角度は任意であるが、上記吹出口８ｂ’が、上記コンベアベルト２の上り傾斜状態の上記立上面２ａの上端縁近傍に位置し、同吹出口８ｂ’が当該上端縁に平行になるように上り傾斜状態で固定することが好ましい。
【００５５】
また、この送風ノズル８は、図５においては、上記コンベアベルト２の水平面２ａ’に平行に空気が噴き出すように固定しているが（矢印Ｃ方向）、図５に二点鎖線で示すように、上記立上面２ａに平行に空気が噴き出すように、コンベアベルト２の左右方向において、吹出口８ｂ’を若干下向きにして管部８ａ側を高くした状態で固定しても良い。何れにしても搬送される破砕物及び軽量物の性状に応じて適切な位置に固定される。
【００５６】
図１において、上記設置エリアＥより上流側において、上記機枠３の右側の上杆３ａに一対のブラケット１３，１３を固定し、これらブラケット１３，１３上に門型の支持アングル１４を鉛直方向に固定し、当該支持アングル１４上に送風機１５を固定する。そして、当該送風機１５の送風口と上記送風ノズル８の上記管部８ａとの間にフレキシブルダクト（送風管）１６を接続し、当該送風機１５から上記送風ノズル８に送風可能とする。当該ダクト１６の管路途中には風量調調整ダンパ１７を設けて、上記送風ノズル８から送風される風量の調整を可能とする。
【００５７】
従って、図４に示すように、上記送風ノズル８の吹出口８ｂ’から、当該吹出口８ｂ’の幅Ｔに対応するコンベアベルト２表面における略幅Ｔに亘って、上記コンベアベルト２の上記水平面２ａ’に略平行に、当該コンベアベルト２の進行方向に直交する方向に空気を噴射することができる。ここで、吹出口８ｂ’から送風される範囲である上記コンベアベルト２上の範囲を送風エリアＴという。
【００５８】
上記設置エリアＥにおける上記コンベアベルト２の裏面側において、上記傾斜ローラ４Ａ，４Ａ間における中央位置に、振動付与ローラ１８が設けられている（図４参照）。この振動付与ローラ１８は、図５に示すように、上記機枠３の左右の上記上杆３ａ，３ａ上に固定された設置基台４８，４８上に軸受１９，１９を固定し、これらの軸受１９，１９に当該ローラ１８の回転中心軸１８ａを回転自在に軸支することにより、上記コンベアベルト２裏面側に設置されている。この振動付与ローラ１８は、その回転中心軸１８ａが、送風ノズル８の送風方向に平行となるように軸支されている。また、この振動付与ローラ１８は、上記送風エリアＴにおける上記コンベアベルト２を上下振動させるべく、上記コンベアベルト２裏面側に単一に軸支されている。
【００５９】
この振動付与ローラ１８のローラ部１８ｂは、図８に示すように横断面が楕円形をなすことで、全体として楕円形円筒により構成されており、当該ローラ部１８ｂ上面に上記コンベアベルト２の上記水平部２ａ’裏面が接触するように構成されている（図１、図５参照）。
【００６０】
また、上記振動付与ローラ１８の一方の回転中心軸１８ａには駆動用のプーリ２０が固定されており、当該プーリ２０と、右側の上記上杆３ａ上に固定された駆動モータ２１の出力軸プーリ２１ａとの間に無端ベルト３８が張設されている（図１参照）。よって、上記駆動モータ２１を回転駆動すると、上記振動付与ローラ１８は、上記無端ベルト３８、上記プーリ２０を介して回転駆動され、当該ローラ１８の外周面における回転中心軸１８ａに対する楕円の長径部ｄと短径部ｄ’（図８（ｂ）参照）とが交互に上記コンベアベルト２の上記水平面２ａ’の裏面に当接することにより、上記ベルト２の上記水平面２ａ’の上記設置エリアＥにおける略中央部Ｎ近傍（送風エリアＴ内）（図４参照）を上下方向（矢印Ｆ，Ｌ方向）に往復振動させることができる（図５のコンベアベルト２の二点鎖線参照）。
【００６１】
このコンベアベルト２の水平面２ａ’の上下往復振動により、搬送されてきた混合廃材中の軽量物（プラスチック、木片等の軽量異物及びコンクリート粉等の粒状物）が浮き上がり、又は、上記軽量物上の破砕物（重量物）が当該軽量物から上下方向等に離脱するため、これらの軽量物を上記送風ノズル８からの噴射空気でコンベア装置１の進行方向に直交する方向に吹き飛ばすことができる。
【００６２】
ここで、図４に示すように、上記振動付与ローラ１８の中心軸方向に沿って、上記送風ノズル８からの空気を噴射することが好ましく、上記送風ノズル８の吹出口８ｂ’の横方向の幅Ｔの範囲内（送風エリアＴの範囲内）に、上記振動付与ローラ１８を配置することにより、単一の振動付与ローラ１８によって効率的に軽量物を吹き飛ばす（選別する）ことができる。
【００６３】
上記振動付与ローラ１８の回転数は、駆動モータ２１の回転数をインバータ等により制御することにより、搬送される軽量物（軽量異物）を含むがれき類、砕石等の種類、重さ等の性状に応じて、上記コンベアベルト２の上下方向の振動の振動数を調整することができる。例えば、上記振動付与ローラ１８の回転数を増加することにより、上記コンベアベルト２の上下方向の振動の振動数を増大することができる。
【００６４】
また、上記振動付与ローラ１８のローラ部１８ｂの楕円の径（長径部ｄと短径部ｄ’の長さ）を変更することにより、コンベアベルト２の上下方向の振動の振幅を変更することができる。例えば、上記振動付与ローラ１８のローラ部１８ｂの長径部ｄを短径部ｄ’に対して長くすることにより、コンベアベルト２の上下振動の振幅を大きくすることができる。これにより、搬送される軽量物（軽量異物）を含むがれき類、砕石等の種類、重さ等の性状に応じて、コンベアベルト２の上下方向の振動の振幅を最適な状態に調整することができる。勿論、駆動モータ２１の回転数、及び、上記振動付与ローラ１８の径を同時に調整することにより、コンベアベルト２の上下振動の振動数及び振幅を調整することができる。
【００６５】
また、搬送されるがれき類、砕石等の性状によっては、コンベアベルト２を振動させない場合もあり得る。従って、上記振動付与ローラ１８の駆動モータ２１にクラッチを設け、当該駆動モータ２１を空転させ、上記振動付与ローラ１８の回転を停止でるように構成することもできる。
【００６６】
また、上記振動付与ローラ１８の左右の設置基台４８，４８に上下方向の高さ調整機構を設け、通常は上記振動付与ローラ１８のローラ部１８ｂを上記コンベアベルト２の裏面に接触させておき、コンベアベルト２を振動させない場合は、上記高さ調整機構を以って、上記振動付与ローラ１８の高さを低下させることにより、上記ローラ部１８ｂを上記コンベアベルト２の裏面から離間させ、上記コンベアベルト２が振動しないように設定することもできる。尚、上記高さ調整機構は、例えば上記設置基台４８，４８に上記軸受１９，１９を支持するＬ型アングル等を上下方向スライド可能に設け、上記Ｌ型アングルを上下方向の数か所にロックピン等でロックし得るように構成することができる。
【００６７】
図２に示すように、上記設置エリアＥにおける上記コンベアベルト２を挟んで、上記送風ノズル８の反対側には、上記送風ノズル８からの送風によって吹き飛ばされた軽量異物及び粒状物を受け取るためのシュート２３が設置されている。このシュート２３には、上記送風ノズル８の送風方向に対向する位置に投入口２２が開口形成されており、上記送風によって吹き飛ばされた軽量物（製品としてのコンクリート粉を含む）は上記投入口２２から上記シュート２３内に投入され、当該シュート２３を下方に落下していく。即ち、上記投入口２２に連通して下方に延びるシュート２３が形成されており、送風ノズル８からの送風の方向に対向する上記コンベアベルト２の反対側に軽量物の投入口２２が形成されている。
【００６８】
上記シュート２３は、図２、図３、図１３に示すように、上記コンベア装置１の左側において、上記投入された上記軽量物を下方に落下誘導する横断面方形の上シュート部２４と、当該上シュート部２４を落下してくる軽量物の内、軽量異物（ゴミ）としてのプラスチック、木片等の比較的大きい軽量物（第１軽量物）と、製品となり得るコンクリート粉等の粒状物からなる軽量物（第２軽量物）とを、シュートの落下経路途中で分別するための分岐部２５と、上記分岐部２５にて分別した第１軽量物を落下誘導する第１シュート部（横断面方形）２６と、上記分岐部２５にて分別した第２軽量物（粒状物）を落下誘導する第２シュート部（横断面方形）２７とを有しており、上記第１シュート部２６の下端開口部２６ｃが地面Ｇ上に設置された軽量物収集箱（第１軽量物収集箱）２８上面に固定されており、上記第２シュート部２７の下端開口部２７ｂは同じく地面Ｇ上に設置された軽量物収集箱（第２軽量物収集箱）２９上面に固定されている。
【００６９】
また、上記コンベアベルト２の左側縁、即ち上記水平面２ａ’の左側縁には、吹き飛ばされた軽量物を投入口２２からシュート２３内に案内する案内板５１が設けられている。この案内板５１は図５に示すように、その水平面側を上記軸受１９に固定され、そのシュート２３側の下向き傾斜面５１ａがコンベアベルト２の左側縁と上記シュート２３の投入口２２間の間隙を閉鎖するように設置されている。この案内板５１は図４に示すように、遮蔽函部３３の設置エリアＥ（少なくとも送風エリアＴ）の横幅に亘って設けられており、送風ノズルによって吹き飛ばされた軽量物がコンベアベルト２とシュート２３間の隙間から落下することを防止し、軽量物を円滑にシュート２３内に案内するものである。
【００７０】
また図２に示すように、上記シュート２３は上記上シュート部２４の上部において、上記コンベア装置１の機枠３の縦杆３ｃに固定アングル３０ａにて固定され、上記上シュート部２４の下部において、上記機枠３の縦杆３ｃの下部に固定アングル３０ｂにて固定されている。そして、このシュート２３は、図２、図３に示すように上記収集箱２８，２９と共に全体として一体であり、上記コンベア装置１の左側において、上記地面Ｇ上に自立状態で設置されている。
【００７１】
上記シュート２３の上端部には、上記シュート２３に連続して、湾曲部３２を介して、上記設置エリアＥにおいて、上記コンベアベルト２の上面側（送風エリアＴ）を覆うことで軽量物、粉塵等のコンベアベルト２外部への流出を防止するための遮蔽函部３３が設けられている（図１３参照）。
【００７２】
この遮蔽函部３３は、上記シュート２３の上シュート部２４に湾曲部３２を介して連続して設けられ、上記設置エリアＥ（上記送風エリアＴを含む）における上記コンベアベルト２の上方位置に水平方向に設けられた天面部３３ａと、上記天面部３３ａの下流側端部から鉛直下方にコンベアベルト２表面に向けて設けられた幅の広い下流側壁３３ｂと、上記天面部３３ａの上流側端部から鉛直下方に上記コンベアベルト２表面に向けて設けられた幅の狭い上流側壁３３ｃと、上記天面部３３ａの右側の端部に送風ノズル８の方向に鉛直下方に設けられた側面壁３３ｄとから構成されている（図１３参照）。
【００７３】
また、上記側面壁３３ｄの下端縁は、コンベアベルト２に沿う上り傾斜に沿って傾斜状に構成されており、当該側面壁３３ｄの下端縁には、当該遮蔽函部３３内に上記送風ノズル８の吹出口８ｂ’を位置させるため、或いは、吹出口８ｂ’から送風可能とするために切欠３４が形成されている。
【００７４】
また、上記下流側壁３３ｂの入口部３６には軽量物等の外部への流出を防止するためのゴム製の飛散防止板３５が垂下状態で取り付けられていると共に（図３参照）、上記上流側壁３３ｃ側の出口部３７には同じくゴム製の飛散防止板３８が垂下状態で取り付けられている（図２参照）。これらの防止板３５，３８には縦方向に複数のスリットＭが設けられており、コンベアベルト２上の破砕物等が円滑に当該遮蔽函部３３内に入出し得るように構成されている。
【００７５】
図４中、４０は上記コンベアベルト２の上面側に下流側から上記設置エリアＥの方向に設けられた案内板である。この案内板４０は、キャリアローラ４−２の傾斜ローラ４ａ’側（コンベアベルト２の左端部側）から上流側に向けて、その先端部がコンベアベルト２の水平面２ａ’の中央部近傍に位置するように傾斜して設けられている。この案内板４０は、下流側から搬送されてきたがれき類、砕石等（破砕物）を案内するものであり、上記設置エリアＥに搬送される場合に、徐々にコンベアベルト２表面の左側が水平状態になるため、上記破砕物が図４中矢印Ｈ方向に移動してコンベアベルト２の左側縁から落下するのを防止するためのものである。尚、この案内板４０は上記機枠３の左側の上杆３ａに取付アングル（図示せず）等によって固定されている。
【００７６】
図２に示すように、上記第２シュート部２７は上記上シュート部２４に連続して鉛直方向に設けられており、上記第１シュート部２６は、上記第２シュート部２７の右側の側面２７ａより、右方向に斜め下方に分岐して設けられ、これにより分岐部２５が形成されている。
【００７７】
図９に示すように、上記分岐部２５の左側の側面２５ａに仕切網４１の挿入用スリット４１’を設け（図１３参照）、当該スリット４１’から上記仕切網４１を、上記分岐部２５内の案内溝４７に沿って、当該分岐部２５内に、上記第１シュート２６の傾斜角度と同一角度で挿入し、当該仕切網４１が上記第１シュート部２６の下側の側面２６ａに連続するように挿入配置する（図２参照）。これにより、上記上シュート部２４と上記第１シュート部２６とを連通させると共に、上記上シュート部２４から上記第２シュート部２７に至る経路は、当該仕切網４１の格子より小の粒状物等のみを通過させるように構成する。尚、上記案内溝４７は上記分岐部２５内で上記仕切網４１を支持するためのものであり、上記分岐部２５の対向する両内側面に当該仕切網４１の挿入角度に沿って形成されている。
【００７８】
即ち、上記第２シュート部２７上端部に仕切網４１を上記第１シュート部２６の方向に傾斜して設け、落下してくる軽量物の内、上記仕切網４１を通過できないプラスチック、木片等の軽量異物（第１軽量物）を上記第１シュート部２６に誘導し、上記仕切網４１を通過するコンクリート粉等の粒状物（第２軽量物）を上記第２シュート部２７に落下させるように構成する。
【００７９】
この仕切網４１は図１０（ｂ）に示すように、一格子が、例えば７５ｍｍ×２５ｍｍの格子４１ａにて構成された網であり、上記上シュート部２４から落下してくる軽量物（プラスチック、木片等の軽量異物（第１軽量物））が第２シュート部２７に導入されることを阻止し、これらの第１軽量物を第１シュート部２６に誘導する共に、上記格子４１ａより小の粒状物を通過させるものである。本実施形態の場合は、上記の大きさの格子４１ａにより、プラスチック、木片等の軽量異物は分別可能であるが、より小さい軽量異物を取り除く場合は、より小さな格子４１ａとすることができる。このように上記格子４１ａは上記の寸法に限定されることなく、がれき類、砕石等に含まれる軽量異物の大きさ、性状に応じて設定することができる。
【００８０】
さらに、図９に示すように、上記第１シュート部２６の上記分岐部２５側の基端部２６ｂ’（右側の側面２６ｂ側）に誘導板４２の挿入用スリット４２’を設け（図１３参照）、当該スリット４２’から上記誘導板４２を、上記分岐部２５内の案内溝５２に沿って、当該分岐部２５内に、上記仕切網４１に直交する方向（上記シュート２３の内部方向であって、上記仕切網４１の方向）に挿入する（図２参照）。この誘導板４２は、図１０（ａ）に示すように網ではなく板状部材であり、その先端部４２ａは上記仕切網４１に接することなく、上記先端部４２ａと上記仕切網４１との間には、軽量物（軽量異物）の通過空間（空間）Ｓが形成されている（図２参照）。尚、上記案内溝５２は上記分岐部２５内で上記誘導板４２を支持するためのものであり、上記分岐部２５の対向する両内側面に当該誘導板４２の挿入角度に沿って形成されている。
【００８１】
この誘導板４２は、図２に示すように、上記上シュート部２４から落下してくるコンクリート粉等の粒状物（第２軽量物）を当該誘導板４２に当てることにより、当該粒状物を上記第２シュート部２７（仕切網４１）の方向に反射させ（矢印Ｉ方向）、上記粒状物が第１シュート部２６に落下することを防止するものである。尚、プラスチック、木片等の軽量異物は上記空間Ｓを通過して、図２中矢印Ｊ方向（第１シュート部２６方向）に落下して行く。
【００８２】
上記第１シュート部２６における右側の側面２６ｂには、第２の送風ノズル４３が設置されている。この送風ノズル４３は、図１２に示すように、円筒形状の管部４３ａと、該管部４３ａに接続されたノズル部４３ｂとから構成されており、上記ノズル部４３ａは、上記管部４３ａとの方形の接続部分４３ａ’より水平方向に拡幅されると共に、上記管部４３ａとの方形の接続部分４３ａ’より上下方向には縮小され、これにより水平方向に細長い吹出口４３ｂ’（幅Ｔ’）が形成されている。
【００８３】
そして、上記吹出口４３ｂ’には、上記第１シュート部２６の右側の側面２６ｂに設置するための固定用フランジ４４が形成されており、当該フランジ４４を以って、上記右側の側面２６ｂに固定されている（図２参照）。上記右側の側面２６ｂには上記吹出口４３ｂ’に対応する水平方向の細長いスリット４５が形成されている（図１３参照）。このスリット４５の幅Ｔ’は上記吹出口４３ｂ’の幅に対応しており、当該第１シュート部２６の右側の側面２６ｂの横幅より若干短いが、上記右側面２６ｂの略全域に亘って開口されている。そして、上記送風ノズル４３の吹出口４３ｂ’を上記スリット４５に宛がい、ボルトによって上記フランジ４４と上記側面２６ｂとを接続固定する。
【００８４】
この送風ノズル４３の固定角度は、上記管部４３ａの中心軸、即ち空気の送風方向（矢印Ｋ方向）が、上記仕切網４１に直交する方向（仕切網４１の方向）となるように構成されている（図２参照）。そして、上記送風機１５の上記フレキシブルダクト１６の一部からシュート用のフレキシブルダクト（送風管）４６を分岐し、当該フレキシブルダクト４６の先端部を上記送風ダクト４３の上記管部４３ａに接続し、上記送風機１５からの空気を当該送風ダクト４３の吹出口４３ｂ’から噴射し得るように構成されている。
【００８５】
上記吹出口４３ｂ’からの空気は、幅Ｔ’に亘って、上記仕切網４１に向けて直交する方向に噴射し得るように構成されており、上記空間Ｓから第１シュート部２６の方向に落下してくる砂等の粒状物を第２シュート部２７の方向に吹き飛ばす機能を有するものである。
【００８６】
上述のように、上記分岐部２５において、上記軽量物の落下方向に対して、上記誘導板４２が上流側に、上記第２の送風ダクト４３が下流側になるように配置している。これにより、誘導板４２に当接するコンクリート粉等の粒状物を仕切網４１の方向に反射誘導し得て、さらに空間Ｓを通過してきた粒状物を第２の送風ノズル４３からの送風により仕切網４１の方向に吹き飛ばすことができ、比較的大きい軽量物（軽量異物）とコンクリート粉等の粒状の軽量物との分別を非常に正確に行うことができる。尚、図１中４９は上記フレキシブルダクト４６の風量調整ダンパ、図２中５０は分岐部２５の点検口である。
【００８７】
本発明の送風ノズル８、第２の送風ノズル４３の風量は各々風量調整ダンパ１７，４９にて調整可能である。この風量は被搬送物の性状（搬送物及び軽量物の種類、大きさ等）に応じて調整することができるものである。例えば、軽量異物として比較的重量が大きい木片等が多い場合は、上記送風ノズル８の風量を増加する等の調整を行うことができる。
【００８８】
また、上記風量調整ダンパ１７，４９を調整することにより、上記送風ノズル８から送風される風量と、上記第２の送風ノズル４３から送風される風量のバランスを独立して調整することができ、軽量物の種類等に応じて上記送風ノズル８と上記第２の送風ノズル４３の各風量を、最適のバランスに設定して選別動作を行うことができる。尚、上記送風機１５の駆動モータの回転数をインバータ等により制御することにより、上記送風機１５自体の風量を制御することもできる。
【００８９】
本発明は上述のように構成されるものであるから、次の本発明に係る風力選別装置の動作を説明する。
【００９０】
まず、コンベアベルト２を回転駆動すると共に、駆動モータ２１を駆動して振動付与ローラ１８を回転させ、設置エリアＥ（送風エリアＴ）におけるコンベアベルト２の水平面２ａ’は上下方向に往復振動しているものとする。同時に、送風機１５を駆動して、送風ノズル８から矢印Ｃ方向に空気が噴射され（図５参照）、かつ第２の送風ノズル４３から矢印Ｋ方向に空気が噴射されているものとする。
【００９１】
この状態で、コンベアベルト２にて建築廃材から二次的に破砕された直径が４０ｍｍ以下の製品としての比較的重いコンクリート塊、砕石等（例えば直径約４０ｍｍ〜１０ｍｍ程度）、及び異物としての建築廃材に含まれるプラスチック、木片等のゴミ（軽量異物）、及び、最終的に製品として戻される、例えば直径約５ｍｍ程度以下のコンクリート粉等の粒状物からなる軽量物を含むがれき類、砕石等（混合廃材）が搬送されているものとする。
【００９２】
これらのがれき類、砕石等は、トラフ型のコンベアベルト２によって上流側から下流側に円滑に搬送され、設置エリアＥの手前側、キャリアローラ４−２を過ぎたあたりから案内板４０にてコンベアベルト２の中央付近に誘導され、風力選別装置６の入口部３６から風力選別装置６（遮蔽函部３３）内に進入していく。
【００９３】
上記遮蔽函部３３内に進入した混合廃材は、コンベアベルト２の水平面２ａ’を経て出口部３７より当該遮蔽函部３３から出ていくが、上記水平面２ａ’は上記振動付与ローラ１８の回転により上下方向に往復振動しているため、当該水平面２ａ’を通過する混合廃材である比較的重いコンクリート塊、及び石塊、砕石等の破砕物は、上方への浮き上がり、下方への落下を繰り返し行い、また、当該混合廃材に含まれるプラスチック、木片等の軽量物（軽量異物）及びコンクリート粒等の軽量物も同様に上方への浮き上がり、下方への落下を繰り返し行う。
【００９４】
このため、重量大の上記破砕物と上記軽量物は、上記往復振動するコンベアベルト２の水平面２ａ’を通過する間、互いに空中にて分離された状態となる。従って、コンベアベルト２の進行方向と直交する方向（矢印Ｃ方向）の噴射空気によって、上記空中に浮き上がった軽量物は、空気の噴射方向（矢印Ｃ方向）、即ち、コンベアベルト２の進行方向に直交する方向に、水平面２ａ’上をシュート２３の方向（投入口２２の方向）に容易に吹き飛ばされ、対向位置にある投入口２２からシュート２３内に投入される。
【００９５】
このとき、投入口２２は上記コンベアベルト２の水平面２ａ’の縁部に接近しているので、コンベアベルト２上から短い距離で投入口２２に直ちに移行することができ、軽量物のみを効率的に分別し得る。また、案内板５１によって円滑にシュート２３内に案内される。
【００９６】
上記空気の噴射方向のコンベアベルト２には立上面は存在せず、水平面２ａ’となっており、当該水平面２ａ’のエリアに上記シュート２３の上記投入口２２が位置しているので、上記軽量物を上記シュート２３の投入口２２に円滑に導入することができる。
【００９７】
また、上記回転する単一の振動付与ローラ１８により送風エリアＴのコンベアベルト２を上下往復振動させることができ、この振動付与ローラ１８の軸方向に沿って空気を噴射することにより、効率的に、上記混同廃材から軽量物のみを分別することができる。
【００９８】
また、上記風力選別装置６を通過する重量のあるコンクリート塊、砕石等は、上記送風によって吹き飛ばされることないため、上記コンベアベルト２によって下流側に搬送されていく。従って、上記風力選別装置６によって上記混合廃材中の軽量物は除去されるため、上記遮蔽函部３３の出口部３７からは、軽量物（軽量異物）の除去された材料、即ち製品としてのコンクリート破砕物、砕石等のみが出て行き、キャリアローラ４−５以降は再びトラフ型となったコンベアベルト２によって上流側に搬送される。
【００９９】
上記風力選別が行われるコンベアベルト２の上面は上記遮蔽函部３３により覆われているし、上記入口部３６と上記出口部３７は飛散防止板３５，３８により遮蔽されているので、上記風力分別動作によって発生した粉塵等が遮蔽函部３３外に流出することを効果的に防止することができる。
【０１００】
上記シュート２３に投入された軽量物は、上シュート部２４を落下して行き、プラスチック、木片等の比較的大きい軽量物（軽量異物）は、上記仕切網４１の格子４１ａを通過できないため、第２シュート部２７に落下することなく、上記空間Ｓを介して第１シュート部２６を下方に落下して行き、第１軽量物収集箱２８内に落下蓄積されていく。
【０１０１】
軽量物に含まれるコンクリート粉等の粒状物（例えば直径５ｍｍ程度以下のコンクリート粉）は、上記仕切網４１の格子４１ａを通過して上記第２シュート部２７を落下して行き、第２軽量物収集箱２９内に落下蓄積されていく。
【０１０２】
また、上記コンクリート粒等の粒状物の内、上記第１シュート部２６方向に落下してきたものは、誘導板４２の表面に当接し矢印Ｉ方向の仕切網４１の方向に反射するため、これらのコンクリート粒等の粒状物も仕切網４１の格子を通過して第２シュート部２７に方向に誘導し、第２軽量物収集箱２９内に落下させることができる。
【０１０３】
さらに、上記第１シュート部２６側に落下し、上記空間Ｓを通過したコンクリート粒等の粒状物については、上記送風ノズル４３から矢印Ｋ方向（仕切網４１の方向）に送風される空気によって進路を上記仕切網４１の方向に変えられるため、これらのコンクリート粒等の粒状物も仕切網４１の格子４１ａを通過して上記第２シュート部２７の方向に誘導し、上記第２軽量物収集箱２９内に落下させることができる。
【０１０４】
従って、上記シュート２３内に投入された軽量物を、異物としてのプラスチック、木片類等の軽量異物と、製品としてのコンクリート粒等の粒状物（例えば直径５ｍｍ程度以下のコンクリート粉）に正確かつ効率的に分別することができる。
【０１０５】
上記風力選別装置６を通過した製品としてのコンクリート塊（直径４０ｍｍ以下）は、上述のようにコンベアベルト２の終端部から落下して、製品としての収集場所（図示せず）にて製品として収集される。上記第２軽量物収集箱２９に収集された５ｍｍ程度以下のコンクリート粒等の粒状物は、直径が４０ｍｍ以下の製品となるため、最終的には製品としての上記収集場所に戻されることになる。
【０１０６】
本発明は上述のように、がれき類、砕石等（混合廃材）を搬送中に所定エリアにおいて重量物と軽量物とをコンベアベルト２上で浮かせて分離した状態で、コンベアベルト２の進行方向に直交する方向に送風することで、軽量物のみを投入口２２に向けて効率的に吹き飛ばすことができる。また投入口２２に投入された軽量物を、分岐部２５において、さらに異物としての例えばプラスチッック、木片等の比較的大きい軽量物（軽量異物）と、製品となり得るコンクリート粉等の粒状の軽量物に効率的に分別し収集することができる。
【０１０７】
従って、風力で選別した軽量物の内、製品になり得る例えば直径５ｍｍ程度以下のコンクリート粉等の微小な粒状物（製品微細分、第２軽量物）をさらに分別して収集することができるので、極めてリサイクル性の高い風力選別装置を実現することができる。
【０１０８】
また単一の振動付与ローラ１８によって送風エリアＴのコンベアベルト２を上下振動させることができるため、簡潔な構成により効果的な風力選別装置を実現し得る。
【０１０９】
また、シュート２３に第２の送風ノズル４３を設け、当該ノズル４３からの送風により軽量物を仕切網４１の方向に吹き飛ばすことにより、異物としての比較的大きい軽量物（軽量異物）と、製品となり得るコンクリート粉等の粒状の軽量物との分別をより正確に行うことができる。
【０１１０】
また、本来第２のシュート部２７に移行すべき粒状物を誘導板４２に当接させて仕切網４１の方向に反射させることができるため、軽量物のより正確な分別を行うことができる。
【０１１１】
また、上記送風ノズル８に送風する送風機１５、上記送風ノズル８、上記振動付与ローラ１８、上記遮蔽函部３３と上記投入口２２と第１及び第２シュート部２６，２７を有する上記シュート２３等は、上記コンベアベルト２を支持する既存の機枠３に固定し得るように構成したので、例えば建築廃材等のリアサイクル工場において、がれき類、砕石等（混合廃材）を搬送する既存のコンベア装置に、大幅な改造を加えることなく、本発明に係る風力選別装置を取り付けることができ、極めて汎用性の高い風力選別装置を提供することができる。
【０１１２】
また、軽量物の吹き飛ばしに伴う粉塵等が遮蔽函部３３の外側に飛散することを効果的に防止することができる。
【０１１３】
また、本実施形態（図１参照）のように、ベルトコンベア２が上り傾斜を構成している場合であっても送風ノズル８の吹出口８ｂ’をコンベアベルト２の上り傾斜に沿って上り傾斜状態で設置することにより、何ら支障なく本発明に係る風力選別装置を設置することができる。勿論、水平状態或いは下り傾斜のコンベア装置においても同様に設置が可能である。
【０１１４】
また、コンベア装置１も上記実施形態ではトラフ型のコンベアベルト２を示したが、トラフ型に限らず、フラットなコンベアベルトであっても適用は可能である。
また、上記
【産業上の利用可能性】
【０１１５】
本発明に係る風力選別装置は、例えば建築廃材をリサイクルするためのリサイクル工場等において、重量のある破砕物から軽量物を分別するための装置として広く用いることができるものである。
【符号の説明】
【０１１６】
１      コンベア装置
２      コンベアベルト
２ａ’  水平面
３      機枠
４      キャリアローラ
４ａ，４ａ’    傾斜ローラ
４ｂ    水平ローラ
６      風力選別装置
８      送風ノズル
１５    送風機
１８    振動付与ローラ
１８ａ  回転中心軸
２２    投入口
２３    シュート
２５    分岐部
２６    第１シュート部
２６ｃ  下端部
２７    第２シュート部
２７ｂ  下端部
２８    第１軽量物収集箱
２９    第２軽量物収集箱
３３    遮蔽函部
３５，３８    飛散防止板
４１    仕切網
４２    誘導板
４２ａ  先端部
４３    第２の送風ノズル
Ａ      矢印
Ｔ      送風エリア
Ｓ      空間
【図１】
2015136681.tif 000003
【図２】
2015136681.tif 000004
【図３】
2015136681.tif 000005
【図４】
2015136681.tif 000006
【図５】
2015136681.tif 000007
【図６】
2015136681.tif 000008
【図７】
2015136681.tif 000009
【図８】
2015136681.tif 000010
【図９】
2015136681.tif 000011
【図１０】
2015136681.tif 000012
【図１１】
2015136681.tif 000013
【図１２】
2015136681.tif 000014
【図１３】
2015136681.tif 000015